【事件の表示】
　上記当事者間の登録第２２２７８６６号商標の登録取消審判事件について、次のとおり審決する。
【結　論】
　登録第２２２７８６６号商標の指定商品中「くつ下，たび，手袋（ゴム手袋，絶縁用ゴム手袋を含む）えりまき，マフラー，スカーフ，ネッカチーフ，ショール，ネクタイ，ゲートル，たびカバー，エプロン，おしめ」については、その登録は取り消す。
　審判費用は、被請求人の負担とする。
【理　由】
１　本件商標
　本件登録第２２２７８６６号商標（以下「本件商標」という。）は、「ロボ」の片仮名文字と「ＲＯＢＯ」の欧文字を二段に併記してなり、昭和６１年９月２７日に登録出願され、第１７類「被服、布製身回品」を指定商品として、平成２年５月３１日に設定登録されたものであるが、その後、商標権の存続期間の更新登録がなされているものである。
　
２　請求人の主張
　請求人は、結論と同旨の審決を求め、その理由を要旨次のように述べた。
＜請求の理由＞
　本件商標は、その指定商品中「くつ下，たび，手袋（ゴム手袋，絶縁用ゴム手袋を含む。）えりまき，マフラー，スカーフ，ネッカチーフ，ショール，ネクタイ，ゲートル，たびカバー，エプロン，おしめ」について、継続して３年以上日本国内において商標権者、専用使用権者又は通常使用権者のいずれによっても使用された事実がないから、商標法第５０条第１項の規定により、取り消されるべきものである。
　
３　被請求人の答弁
　被請求人は、本件審判請求は成り立たない、審判費用は請求人の負担とするとの審決を求めると答弁し、その理由を要旨次のように述べ、証拠方法として乙第１号ないし第７号証を提出した。
（１）請求人は、本件商標が、その取消に係る指定商品について、継続して３年以上、日本国内において商標権者、専用使用権者又は通常使用権者のいずれによっても使用された事実がないから、商標法第５０条第１項の規定により取り消されるべきものである旨主張しているが、本件商標登録を取消す理由は全く存在しないものである。
（２）本件商標は、商標権者本人である「柿沼衣料品工業株式会社」が本件商標の登録日である平成２年５月３１日以降、及び更新登録日である平成１２年２月１日以降、現在に至るまで使用しているものである。
（３）本件商標の指定商品は、旧商品区分（昭和３４年法）第１７類「被服、布製身回品」である。これらの指定商品中「被服」に「パンツ」が含まれているものであり、この「パンツ」に「子供パンツ」が含まれている。
（４）本件商標の指定商品中「子供パンツ」については、乙第１号ないし第７号証に示す使用証明用写真、及び送り状、売上伝票、納品書より明らかな如く、商標権者が使用しているものである。
　なお、商標権者の住所が「埼玉県羽生市北１丁目１２−２９」より「埼玉県羽生市中央１−１７−１」に現在変更されているが、本件商標の更新登録時に合わせて、住所の表示変更登録申請をする予定である。
（５）乙第１号証に示す「使用証明書の写真」には、１つ目の「子供パンツ」が示されている。これらの「子供パンツ」は中国で製造したものを輸入している。この乙第１号証に示される「子供パンツ」には、左右の足の上下方向の中間位置に「ＲＯＢＯ★ＫＩＤＳ」の表示が示されている。
　乙第２号証に示す商品タグには、表面側の「ＲＯＢＯ　ＫＩＤＳ」の表示と、裏面側の商品コード「Ｎｏ．７２３６００」とが記載されている。
　乙第３号証には、商品コード「Ｎｏ．７２３６００」に対応する「売上伝票」（コピー）が示されており、この乙第３号証の「売上伝票」には、０９年１０月５日の売上日付、及び請求日付が記載され、顧客である「株式会社北海道三喜」の名称が記載されている。
　乙第４号証には、「送り状」が示されており、この「送り状」の荷主には、本商標権者である「柿沼衣料品工業株式会社」が示され、出荷先として「道の駅羽生」が示され、品名に「ＣＨＩＬＤＲＥＮＳ　ＫＮＩＴＴＩＮＧ　ＰＡＮＴＳ」（子供ニットパンツ）の表示がある。
（６）乙第５号証に示す「使用証明書の写真」には、２つ目の「子供パンツ」が示されている。これらの「子供パンツ」は中国で製造したものを輸入している。この乙第５号証に示される「子供パンツ」には、乙第６号証に示す商品タグが付せられ、この商品タグには、表面側の「ＲＯＢＯ」の表示と、裏面側の上部の商品コード「Ｎｏ．７２３７１０」、及び下部の「ＲＯＢＯ　ＣＬＵＢ」の表示とが記載されている。
　乙第７号証には、「納品書」が示されており、この「納品書」（伝票番号８７７０）には、取引先名として「埼玉県羽生市中央１−１７−１柿沼衣料品工業株式会社」が示されている。また、商品コード「Ｎｏ．７２３７１０」に対応する品名「Ｔ／ＣウェザーＢＤ（ウエストリブ・脇ライン）裏トリコット、数量「６」、売価金額合計「４２３５２」が記載され、また、０９年９月２６日の納品日付が記載され、顧客である「株式会社三喜」（北茨城店）の名称が記載されている。
（７）乙第１号、第２号、第５号及び第６号証には、本件商標が記載されている。
（８）むすび
　以上の理由により、本件商標は、商標権者本人が本件商標を現在使用しているものであり、商標登録の取消しの理由は全く存在しないものであり、商標法第５０条第１項に該当しないことは明らかである。
　
４　請求の趣旨の補正
（１）審判長は、請求人に対し、平成２２年７月３０日付け審尋において、
「請求人は、審判請求書の『請求の趣旨』において、本件商標の指定商品中『くつ下，たび，・・・，及びこれらの類似商品』についての登録の取消しを求めている。しかしながら、上記指定商品中『及びこれらの類似商品』の表示は、一部取消しの審決が確定した場合、登録商標の効力の及ぶ指定商品の範囲が曖昧となることから、その請求の趣旨は不明確なものといわざるを得ない。したがって、当該『及びこれらの類似商品』の表示を要旨変更とならない範囲内で明確な表示に補正するか又は当該表示を削除する補正をされたい。」旨審尋をした。
（２）これに対し、請求人は、平成２２年８月１８日付け手続補正書をもって、「請求の趣旨」中、取消請求に係る指定商品を「くつ下，たび，手袋（ゴム手袋，絶縁用ゴム手袋を含む。）えりまき，マフラー，スカーフ，ネッカチーフ，ショール，ネクタイ，ゲートル，たびカバー，エプロン，おしめ」と補正した。
　
５　当審の判断
（１）請求の趣旨の補正について
　前記４のとおり、不明確であった請求の趣旨は、補正により明確なものとなり、平成２２年８月２０日に本件商標の商標登録原簿に請求の趣旨の更正の登録がなされた。そして、請求人による当該補正は、請求の趣旨の内容を実質的に変更するものではないから、要旨を変更するものではない。
（２）商標法第５０条に規定する商標登録の取消しの審判にあっては、その第２項において、その審判の請求の登録（本件の場合、平成２２年１月８日）前３年以内に日本国内において商標権者、専用使用権者又は通常使用権者のいずれかがその請求に係る指定商品又は指定役務のいずれかについての使用をしていることを被請求人が証明しない限り、使用をしていないことについて正当な理由があることを明らかにした場合を除いて、商標権者は、その指定商品又は指定役務に係る商標登録の取消しを免れないとされている。
（３）本件審判において、請求人が、その取消しを求めた指定商品（以下「取消請求に係る指定商品」という。）は、本件商標の指定商品中「くつ下，たび，手袋（ゴム手袋，絶縁用ゴム手袋を含む。）えりまき，マフラー，スカーフ，ネッカチーフ，ショール，ネクタイ，ゲートル，たびカバー，エプロン，おしめ」であることは、審判請求書の記載に照らし明らかである。
　しかして、上記（２）のとおり、取消請求に係る指定商品について、本件商標の使用の事実を証明するか、あるいは不使用の場合には、正当な理由のあることを明らかにしない限り、その登録の取消しを免れないものである。
（４）被請求人の主張及び同人提出の証拠（乙第１号ないし第７号証）によれば、本件商標の使用を証明せんとする商品は「子供パンツ」である。
　しかしながら、「子供パンツ」は、本件商標の指定商品に属する商品ではあるが、取消請求に係る指定商品には包含されない商品である。
　そうすると、「子供パンツ」は、本件審判の取消請求に係る指定商品には包含されないものであるから、本件商標が、本件審判請求の登録前３年以内に、取消請求に係る指定商品のいずれかについて使用したことが明らかにされたと認めることはできない。
　他に、取消請求に係る指定商品について、本件商標の使用を示す証左はなく、その不使用についての正当理由に係る主張及び立証もない。
（５）まとめ
　以上のとおり、本件商標は、結論掲記の指定商品について、商標法第５０条に基づき、その登録の取消しを免れないものである。
　よって、結論のとおり審決する。